(57)【要約】【課題】残留水による消毒液の希釈や、残留消毒液による環境への悪影響を低減させる。【解決手段】内視鏡用洗浄消毒装置２は、洗浄槽１２に設けられた排水口１８、洗浄水を外部に排水する外部排水口５０、およびこれらを繋ぐ排水路５１と、排水口１８、外部排水口５０、および排水路５１とは別に設けられ、洗浄槽１２に設けられた排液口１９、消毒液を外部に排液する外部排液口４８、およびこれらを繋ぐ排液路４９と、消毒液を貯留する消毒液タンク４３と排液路４９を繋ぐ消毒液回収路４５と、消毒液の流路を排液路４９と消毒液回収路４５に切り替える第２電磁弁４７とを備える。洗浄水を排水する経路と消毒液を排液する経路とを別に設けたので、経路の共通する部分で洗浄水と消毒液とが混ざることがない。【選択図】図３
2007089637.tif 000002
【特許請求の範囲】
【請求項１】
洗浄槽に収容された内視鏡を洗浄・消毒する内視鏡用洗浄消毒装置において、
前記洗浄槽に設けられた排水口、前記洗浄水を外部に排水する外部排水口、およびこれらを繋ぐ排水路と、
前記排水口、前記外部排水口、および前記排水路とは別に設けられ、前記洗浄槽に設けられた排液口、前記消毒液を外部に排液する外部排液口、およびこれらを繋ぐ排液路と、
前記消毒液を貯留する消毒液タンクと前記排液路を繋ぐ消毒液回収路と、
前記消毒液の流路を前記排液路と前記消毒液回収路に切り替える切り替え弁とを備えたことを特徴とする内視鏡用洗浄消毒装置。
【請求項２】
前記排水口を前記排液口よりも低い位置に設けたことを特徴とする請求項１に記載の内視鏡用洗浄消毒装置。
【発明の詳細な説明】
【技術分野】
【０００１】
本発明は、洗浄槽に収容された内視鏡を洗浄・消毒する内視鏡用洗浄消毒装置に関する。
【背景技術】
【０００２】
従来から、医療分野において、内視鏡を利用した医療診断が盛んに行われている。医療診断で使用された内視鏡は、看護師などによる予備洗浄後、内視鏡用洗浄消毒装置（特許文献１参照）の洗浄槽内にて、洗浄、消毒、すすぎ、乾燥などの各種処理が施され、洗浄・消毒滅菌される。
【０００３】
図７に示すように、従来の内視鏡用洗浄消毒装置１００では、装置本体１０１の内部に据え付けられた消毒液タンク１０２に消毒液を貯留し、消毒液供給路１０３、およびポンプ１０４によって、消毒液供給口１０５から洗浄槽１０６に消毒液を供給するとともに、排液口１０７、消毒液回収路１０８を介して、消毒に使われた消毒液を消毒液タンク１０２に回収し、消毒液を再利用するようにしている。また、排液口１０７と外部排液口１０９とを繋ぐ排液路１１０を介して、効力が失活した消毒液を外部に排液している。
【特許文献１】特開平３−１０６３３２号公報
【発明の開示】
【発明が解決しようとする課題】
【０００４】
内視鏡用洗浄消毒装置１００では、消毒液だけでなく、給水路１１１、および給水口１１２を介して洗浄槽１０６に供給された洗浄水も、排液口１０７、および排液路１１０を利用して外部排液口１０９に排水しているため、排液口１０７や、消毒液回収路１０８と共用される排液路１１０の部分１１３（点線で囲む部分）に残留した水（残留水）によって消毒液が希釈され、その効力がすぐに失活してしまうという問題があった。
【０００５】
また、上記問題とは逆に、残留した消毒液によって洗浄水が汚染され、環境に悪影響を与えるおそれがあった。
【０００６】
本発明は、上記課題を鑑みてなされたものであり、残留水による消毒液の希釈や、残留消毒液による環境への悪影響を低減させることができる内視鏡用洗浄消毒装置を提供することを目的とする。
【課題を解決するための手段】
【０００７】
上記目的を達成するために、本発明は、洗浄槽に収容された内視鏡を洗浄・消毒する内視鏡用洗浄消毒装置において、前記洗浄槽に設けられた排水口、前記洗浄水を外部に排水する外部排水口、およびこれらを繋ぐ排水路と、前記排水口、前記外部排水口、および前記排水路とは別に設けられ、前記洗浄槽に設けられた排液口、前記消毒液を外部に排液する外部排液口、およびこれらを繋ぐ排液路と、前記消毒液を貯留する消毒液タンクと前記排液路を繋ぐ消毒液回収路と、前記消毒液の流路を前記排液路と前記消毒液回収路に切り替える切り替え弁とを備えたことを特徴とする。
【０００８】
なお、前記排水口を前記排液口よりも低い位置に設けることが好ましい。
【発明の効果】
【０００９】
本発明の内視鏡用洗浄消毒装置によれば、洗浄槽に設けられた排水口、洗浄水を外部に排水する外部排水口、およびこれらを繋ぐ排水路と、排水口、外部排水口、および排水路とは別に設けられ、洗浄槽に設けられた排液口、消毒液を外部に排液する外部排液口、およびこれらを繋ぐ排液路と、消毒液を貯留する消毒液タンクと排液路を繋ぐ消毒液回収路と、消毒液の流路を排液路と消毒液回収路に切り替える切り替え弁とを備えたので、残留水による消毒液の希釈や、残留消毒液による環境への悪影響を低減させることができる。したがって、消毒液の再利用回数が増え、ランニングコストを低減させることができる。また、排液された消毒液を廃棄するための中和・分解あるいは希釈などの後処理が容易になり、環境への負荷を軽減することができる。
【発明を実施するための最良の形態】
【００１０】
図１において、内視鏡用洗浄消毒装置２は、箱状の装置本体１０と、装置本体１０にヒンジで開閉自在に取り付けられた蓋１１とから構成される。この内視鏡用洗浄消毒装置２は、装置本体１０の上面に設けられた洗浄槽１２に使用済みの内視鏡３０（図２参照）を収容し、洗浄、消毒、すすぎ、乾燥などの各種処理を施して、内視鏡３０を洗浄・消毒滅菌するものである。
【００１１】
装置本体１０の上面手前には、操作パネル１３、および表示パネル１４が配されている。操作パネル１３は、上記各種処理の内容に関する設定や洗浄開始／停止などを指示するための多数のボタンからなる。表示パネル１４は、各種設定画面、処理の残り時間、トラブル発生時の警告メッセージなどを表示する。
【００１２】
蓋１１は、洗浄槽１２に使用済みの内視鏡３０を収容する際や、消毒滅菌後の内視鏡３０を取り出す際に開閉操作される。消毒滅菌を行っている際には、蓋１１により洗浄槽１２の開口部が覆われ、外部に洗浄水や消毒液が飛散しないようになっている。また、蓋１１の上面は、透明なのぞき窓となっており、洗浄や消毒滅菌の様子を視認することが可能となっている。
【００１３】
洗浄槽１２内には、噴射装置１５、洗浄水を供給する給水口１６、消毒液を供給する消毒液供給口１７、洗浄水を排水する排水口１８、および消毒液を排液する排液口１９などが設けられている。
【００１４】
噴射装置１５は、洗浄槽１２の略中央に配されており、円筒状の回転体２０と、回転体２０の周面に複数設けられたノズル２１とからなる。内視鏡３０の洗浄時には、回転体２０が回転されるとともに、ノズル２１から洗浄水が噴射される。
【００１５】
排水口１８、および排液口１９には、これらを開閉するバルブ（図示せず）が取り付けられている。このバルブは、洗浄槽１２に洗浄水や消毒液を貯める際には閉じられ、洗浄水や消毒液を排液する際には開かれる。
【００１６】
図２に示すように、使用済みの内視鏡３０は、手元操作部３１が洗浄槽１２の側面に設けられたカプラ３２の近傍に載置され、回転体２０の周辺に巻き回された状態で洗浄槽１２内に収容される。カプラ３２は、手元操作部３１の吸引ボタンの装着口３３、送気・送水ボタンの装着口３４、および鉗子口３５にチューブ３６を介して接続されている。このカプラ３２からチューブ３６を経由して、洗浄水や消毒液が内視鏡３０内部の送気・送水チューブ、吸引チューブ、および鉗子挿通用チューブに供給され、これにより内視鏡３０の内部管路の洗浄・消毒滅菌が行われる。
【００１７】
図３において、装置本体１０の上部には、水道水の蛇口などの水供給源とホースなどで接続され、給水口１６に繋がる給水路４０が配されている。給水路４０の途中には、給水路４０を開閉する第１電磁弁４１、および給水路４０を通る水道水の雑菌を除去するフィルタ４２が配されている。
【００１８】
第１電磁弁４１が開かれると、給水路４０に水供給源からの水（水道水）が流れ、フィルタ４２を通過して除菌され、給水口１６から洗浄水として洗浄槽１２に供給される。なお、図示はしていないが、給水路４０には、ノズル２１やカプラ３２が繋がれており、これらの箇所にも洗浄水が供給されるようになっている。
【００１９】
装置本体１０の下部には、消毒液タンク４３が配設されている。消毒液タンク４３には、内視鏡３０の消毒に使用する薬液（例えば、グルタラール、過酢酸、酸性水、二酸化塩素、過酸化水素など）が貯留され、消毒液供給口１７に繋がる消毒液供給路４４と、排液口１９に繋がる消毒液回収路４５とが接続されている。消毒液供給路４４の途中には、消毒液タンク４３内の消毒液を洗浄槽１２に向けて吸い上げるポンプ４６が配されている。
【００２０】
ポンプ４６が作動されると、消毒液供給路４４にポンプ４６によって吸い上げられた消毒液タンク４３内の消毒液が流れ、この消毒液が消毒液供給口１７から洗浄槽１２に供給される。なお、図示はしていないが、消毒液供給路４４には、給水路４０と同様に、ノズル２１やカプラ３２が繋がれており、これらの箇所にもポンプ４６によって消毒液が供給されるようになっている。
【００２１】
消毒液回収路４５は、第２電磁弁４７を介して、排液口１９と外部排液口４８とを繋ぐ排液路４９に接続されている。消毒液回収路４５、および排液路４９は、第２電磁弁４７によって開閉される。
【００２２】
第２電磁弁４７が作動されて、消毒液回収路４５側が開、排液路４９側が閉となると、排液口１９から排液された消毒液が、消毒液回収路４５を経由して消毒液タンク４３に回収される。また、消毒液回収路４５側が閉、排液路４９側が開となると、消毒液は、排液路４９を通って外部排液口４８から排液される。
【００２３】
排液路４９の隣には、排水口１８と外部排水口５０とを繋ぐ排水路５１が設けられている。排水路５１の途中には、第３電磁弁５２が配されている。排水路５１は、この第３電磁弁５２によって開閉され、循環系（図示せず）側と外部排水口５０側とに流路が切り替えられる。
【００２４】
第３電磁弁５２が作動されて、外部排水口５０側が開となり、循環系側が閉となると、排水口１８から排水された洗浄水が、外部排水口５０から外部に排水される。
【００２５】
洗浄槽１２の裏面には、超音波振動子５３が固着されている。超音波振動子５３は、洗浄槽１２に洗浄水を貯めて内視鏡３０が完全に洗浄水に浸漬された状態で作動され、洗浄水に超音波を放射して内視鏡３０に付着した汚れを超音波洗浄する。なお、図示はしていないが、洗浄槽１２には、上限水位を検知するための水位センサやオーバーフローなどの安全装置が設けられており、洗浄水や消毒液が溢れることを防止している。
【００２６】
図４において、ＣＰＵ６０は、内視鏡用洗浄消毒装置２の各部の動作を統括的に制御する。ＲＯＭ６１には、内視鏡用洗浄消毒装置２を動作させるために必要なプログラムやデータが記憶されている。ＣＰＵ６０は、このＲＯＭ６１から、プログラムやデータを作業用メモリであるＲＡＭ６２に読み出し、各種処理に応じた制御を実行する。また、ＣＰＵ６０は、操作パネル１３の操作入力に応じて各部を動作させ、表示パネル１４に画面を表示させる。
【００２７】
ＣＰＵ６０は、洗浄槽１２に洗浄水や消毒液を貯める際には、排水口１８、および排液口１９のバルブを閉じさせる。洗浄水を排水する際には、排液口１９のバルブを閉じさせたままで、排水口１８のバルブを開けさせ、第３電磁弁５２を作動させて、外部排水口５０側を開、循環系側を閉とさせる。消毒液を排液する際には、排水口１８のバルブを閉じさせたままで、排液口１９のバルブを開けさせ、第２電磁弁４７を作動させて、消毒液回収路４５側を閉、排液路４９側を開とさせる。対して、消毒液を消毒液タンク４３に回収する際には、消毒液回収路４５側を開、排液路４９側を閉とさせる。
【００２８】
次に、上記構成を有する内視鏡用洗浄消毒装置２による内視鏡３０の洗浄・消毒滅菌の処理手順を、図５のフローチャートを参照して説明する。内視鏡３０による検査の終了後、作業者は、まず、内視鏡用洗浄消毒装置２の電源をオンし、使用済みの内視鏡３０をシンクなどで軽く水洗い（予備洗浄）して、内視鏡３０に付着している汚物などを洗い流す。
【００２９】
予備洗浄後、作業者は、手元操作部３１がカプラ３２の近傍に位置するように、内視鏡３０を回転体２０の周辺に巻き回して洗浄槽１２内に収容し、吸引ボタンの装着口３３、送気・送水ボタンの装着口３４、および鉗子口３５にチューブ３６を接続した後、蓋１１を閉めて操作パネル１３を操作し、洗浄・消毒滅菌工程を開始させる。
【００３０】
洗浄・消毒滅菌工程の開始が指示されると、内視鏡用洗浄消毒装置２では、ＣＰＵ６０の制御の下に、噴射装置１５および第１電磁弁４１が作動され、回転体２０を回転させながらノズル２１から水を噴射して、内視鏡３０の外表面を洗浄する前洗浄が行われる。また、カプラ３２、およびチューブ３６を介して、内視鏡３０の内部管路に水が導入され、内部管路が洗浄される。この前洗浄で使用された水は、排水口１８を介して外部排水口４８に排水される。このとき、ＣＰＵ６０により、排液口１９のバルブは閉じられたままで、排水口１８のバルブが開けられ、第３電磁弁５２が作動されて、外部排水口５０側が開、循環系側が閉とされる。
【００３１】
前洗浄後、ＣＰＵ６０により第１電磁弁４１が作動されて、水供給源からの水道水が給水口１６から洗浄槽１２に供給される。そして、内視鏡３０が完全に洗浄水に浸漬された状態とされた後、ＣＰＵ６０の制御の下に、超音波振動子５３が作動され、洗浄水に超音波を放射して内視鏡３０に付着した汚れを落とす超音波洗浄が行われる。超音波洗浄で使用された水は、排水口１８を介して外部排水口５０に排水される。このときも前洗浄時と同様に、排水口１８のバルブが開けられ、外部排水口５０側が開、循環系側が閉とされる。
【００３２】
超音波洗浄後、前洗浄時と同様に、内部管路が洗浄される。そして、超音波洗浄前と同様に、給水口１６から洗浄槽１２に洗浄水が供給され、内視鏡３０の外表面および洗浄槽１２の汚れを洗い流すすすぎが行われる。すすぎに使用された水は、排水口１８を介して外部排水口５０に排水される。このときも前洗浄時、超音波洗浄時と同様に、排水口１８のバルブが開けられ、外部排水口５０側が開、循環系側が閉とされる。
【００３３】
すすぎ後、ＣＰＵ６０によりポンプ４６が作動され、消毒液供給口１７から洗浄槽１２に消毒液が供給され、内視鏡３０が消毒液に完全に浸漬された状態とされる。また、カプラ３２、およびチューブ３６を介して、内視鏡３０の内部管路に消毒液が導入され、内部管路が消毒される。
【００３４】
内視鏡３０を消毒液に所定時間浸漬させた後、ＣＰＵ６０により、排水口１８のバルブが閉じられたままで、排液口１９のバルブが開けられ、第２電磁弁４７が作動されて、排液路４９側が閉、消毒液回収路４５側が開となり、排液口１９から消毒液回収路４５を経由して、消毒液タンク４３に消毒液が回収される。一方、消毒液の効力が失活していた場合は、排液路４９側が開、消毒液回収路４５側が閉となり、排液口１９から排液路４９を経由して、外部排液口４８から消毒液が排液される。
【００３５】
消毒後、超音波洗浄後のすすぎと同様のすすぎが２回行われ、ノズル２１やカプラ３２から図示しない機構でエアー、またはアルコールが供給される乾燥工程を経て、内視鏡３０の洗浄・消毒滅菌工程が終了する。
【００３６】
以上詳細に説明したように、内視鏡用洗浄消毒装置２は、洗浄水を排水する経路と消毒液を排液する経路とを別に設けたので、従来のように経路の共通する部分で洗浄水と消毒液とが混ざることがない。
【００３７】
なお、上記実施形態では、排水口１８と排液口１９とを同じ高さに設けているが、図６に示すように、排液口１９から排水口１８に向けて下がる傾斜面７０を形成し、排水口１８を排液口１９よりも低い位置に設けることが好ましい。このようにすると、排液口１９付近の洗浄水が排水口１８の方に導かれるので、残留水を確実に除去することができ、残留水による消毒液の希釈をより抑制することができる。
【００３８】
上記実施形態では、前洗浄用の装置として噴射装置１５を設けているが、この代わりに、若しくはこれに加えて、洗浄槽１２の四囲にスプレーノズルを設けてもよい。また、洗浄槽１２に酵素洗剤を供給する機構やミクロバルブを発生させる機構を設けてもよく、装置の仕様に応じて適宜追加変更することができる。
【図面の簡単な説明】
【００３９】
【図１】内視鏡用洗浄消毒装置の概略構成を示す斜視図である。
【図２】洗浄槽に内視鏡を収容した様子を示す平面図である。
【図３】装置本体内部の構成を示す平面図である。
【図４】内視鏡用洗浄消毒装置の電気的構成を示すブロック図である。
【図５】洗浄・消毒滅菌工程の処理手順を示すフローチャートである。
【図６】排水口を排液口よりも低い位置に設けた例を示す部分平面図である。
【図７】従来の内視鏡用洗浄消毒装置の概略構成を示す斜視図である。
【符号の説明】
【００４０】
２  内視鏡用洗浄消毒装置
１０  装置本体
１２  洗浄槽
１８  排水口
１９  排液口
３０  内視鏡
４３  消毒液タンク
４５  消毒液回収路
４７  第２電磁弁
４８  外部排液口
４９  排液路
５０  外部排水口
５１  排水路
６０  ＣＰＵ
【図１】
2007089637.tif 000003
【図２】
2007089637.tif 000004
【図３】
2007089637.tif 000005
【図４】
2007089637.tif 000006
【図５】
2007089637.tif 000007
【図６】
2007089637.tif 000008
【図７】
2007089637.tif 000009